(57)【要約】【課題】重ね合わせ型の携帯機器を片手で開けることは難しいものであった。【解決手段】互いに重ね合わせて配置される2つの筐体１１０，１２０と、これら２つの筐体１１０，１２０の端部同士を、互いの重ね合わせ方向に沿う軸線Ｌを中心として相互に回動可能に連結する連結部１０４と、2つの筐体１１０，１２０のうち一方の筐体１１０に備える表示部１０６と、2つの筐体１１０，１２０のうち他方の筐体１２０に備える主操作部１０２とを有する携帯電話機１００において、2つの筐体１１０，１２０のうち一の筐体１１０における連結部１０４が配置された側の端部１１０ｂに、指を引っ掛ける引掛部１５０を設ける。【選択図】図１
2005191751.tif 000002
【特許請求の範囲】
【請求項１】
互いに重ね合わせて配置される2つの筐体と、該2つの筐体の端部同士を、互いの重ね合わせ方向に沿う軸線を中心として前記２つの筐体を相対的に回動可能に連結する連結部と、前記2つの筐体のうち一方の筐体に備える表示部と、前記2つの筐体のうち他方の筐体に備える主操作部とを有し、前記2つの筐体のうち一の筐体における連結部側の端部に引掛部を設けたことを特徴とする携帯機器。
【請求項２】
前記一の筐体は、２つの筐体が互いに重ね合わされる閉状態から右方向及び／又は左方向に回動するとともに、前記引掛部を連結部側の端部のうち左角部近傍及び／又は右角部近傍に有することを特徴とする請求項１に記載の携帯機器。
【請求項３】
前記主操作部は、前記他方の筐体のうち一方の筐体と対向する面に有すると共に、前記表示部は、前記一方の筐体のうち他方の筐体と反対側に位置する面に有し、且つ前記引掛部は前記一方の筐体に有することを特徴とする請求項１又は請求項２に記載の携帯機器。
【請求項４】
前記引掛部は、筐体表面より突出する凸部であることを特徴とする請求項１乃至請求項３のいずれか一つに記載の携帯機器。
【請求項５】
前記引掛部は、筐体表面に設けられたスリットであることを特徴とする請求項１乃至請求項３のいずれか一つに記載の携帯機器。
【請求項６】
前記引掛部は、筐体表面の一部がゴム材により形成されたカバー部材であることを特徴とする請求項１乃至請求項３のいずれか一つに記載の携帯機器。
【請求項７】
前記引掛部は、筐体に形成された切欠部であることを特徴とする請求項１乃至請求項３のいずれか一つに記載の携帯機器。
【発明の詳細な説明】
【技術分野】
【０００１】
本発明は、互いに重ね合わせ可能に配置される２つの筐体を、その重ね合わせ方向に沿う軸線を中心に回動可能に連結する、携帯電話機、ＰＤＡ（Personal Digital Assistants）等の携帯機器に関するものである。
【背景技術】
【０００２】
従来、携帯電話機等の携帯機器では、携行時における持ち運びを考慮して、表示部と受話部を有する第１筐体と、操作部と送話部とを有する第２筐体とを折り畳み可能に連結し、携行時には前記２つの筐体を折り畳んでコンパクトにするようにしたものが広く利用されている。
【０００３】
一方、近年、折り畳み型の携帯機器に代わるものとして、互いに重ね合わせて配置される2つの筐体と、この2つの筐体の端部同士を、互いの重ね合わせ方向に沿う軸線を中心として相互に回動可能に連結する連結部とを有し、一方の筐体には操作部と送話部とを有すると共に、他方の筐体には表示部と受話部とを備えた重ね合わせ型の携帯機器が提案されている（特許文献１参照のこと）。
【特許文献１】特開平７−２８８８６０号公報
【発明の開示】
【発明が解決しようとする課題】
【０００４】
ところで、上記重ね合わせ型の携帯機器を、互いの重ね合わせ状態から回動させる場合、ユーザーは一方の手で携帯機器の一方の筐体を保持すると共に、他方の手で携帯機器の他方の筐体を保持し、いずれか一の筐体を持つ手を動かさなければならないというように、両手を使わなければ２つの筐体を回動させることが難しいものであった。
【０００５】
その為、特に携帯機器が携帯電話機や通信機能付きＰＤＡ等のように送受信機能を有するものであって、ユーザーの一方の手が塞がっているような状況下で、第三者より電話やメールがあった場合、ユーザーにとっては早く電話に出たり、メールの内容を確認したいのに携帯機器の開動作を行うことが難しいため、直ぐに電話に出たり、メールの内容を確認することができず、不快感を与えてしまうといった課題があった。
【課題を解決するための手段】
【０００６】
そこで、上記事情に鑑み、本発明は、互いに重ね合わせて配置される2つの筐体と、これら２つの筐体の端部同士を、互いの重ね合わせ方向に沿う軸線を中心として前記２つの筐体を相対的に回動可能に連結する連結部と、前記2つの筐体のうち一方の筐体に備える表示部と、前記2つの筐体のうち他方の筐体に備える主操作部とを有する携帯機器において、前記2つの筐体のうち一の筐体における連結部が配置された側の端部に、指を引っ掛ける引掛部を設けたことを特徴とする。
【０００７】
また、前記一の筐体が、２つの筐体を互いに重ね合わせた閉状態から右方向及び／又は左方向に回動する場合、前記引掛部を、連結部が配置される端部のうち左角部近傍及び／又は右角部近傍に設けることが好ましい。
【０００８】
さらに前記主操作部を、他方の筐体のうち一方の筐体と対向する面に設けると共に、前記表示部を、一方の筐体のうち他方の筐体と反対側に位置する面に設ける場合、前記引掛部は、前記一方の筐体に配することが好ましい。
【０００９】
また、前記引掛部としては、筐体表面より突出する凸部により形成するか、筐体表面に設けられたスリットにより形成するか、筐体に設けられた切欠部により形成するか、あるいは筐体表面の一部を形成し、指との摩擦の大きいゴム材からなるカバー部材により形成することが好ましい。
【発明の効果】
【００１０】
本発明によれば、２つの筐体のうち一の筐体を回動させるにあたり、例えば、別の一の筐体を保持する手の親指を前記一の筐体に設けた引掛部に引っ掛けた状態で一の筐体を回動させる方向に前記親指でもって押し出すことにより、携帯機器を片手で保持した状態でも簡単に一の筐体を回動させることができる。その為、ユーザーの一方の手が塞がっているような場合でも容易に携帯機器の開動作を行うことができる。その為、携帯機器が携帯電話機や通信機能付きＰＤＡ等のように送受信機能を有するものであって、ユーザーの一方の手が塞がっているような状況下で、第三者より電話やメールがあった場合でも直ぐに携帯機器の開動作を行って電話に出たり、メールの内容を確認することができるため、ユーザーに不快感を与えることがない。
【発明を実施するための最良の形態】
【００１１】
以下、本発明の実施形態について説明する。
【００１２】
図１は本発明の携帯機器の一例である携帯電話機の閉状態を示す斜視図である。図２は図1の携帯電話機の開状態を示す斜視図である。図３は図1の携帯電話機における連結部を示す図で、（ａ）は斜視図、（ｂ）は筐体に取り付けた状態を示す断面図である。図４は図1の携帯電話機のブロック図である。図５は図1のＸ−Ｘ線断面図である。図６は図1の携帯電話機の開動作を説明するための斜視図である。
【００１３】
図１及び図２に示すように、この携帯電話機１００は、液晶表示装置や有機ＥＬ装置等からなる表示部１０６を有する第１筐体１１０と、テンキーやカーソルキー等からなる主操作部１０２を有する第２筐体１２０と、両筐体１１０，１２０を開閉可能に連結する連結部１０４とから構成され、両筐体１１０，１２０は互いに重ね合わせた閉状態において、第１筐体１１０が第２筐体１２０の主操作部１０２を覆うと共に、表示部１０６の表示面１０６ａを外側から見ることができるように、第１筐体１１０のうち第２筐体１２０と反対側の面１１１に表示部１０６を備えている。
【００１４】
なお、１０３は閉状態でも携帯電話機１００が持つ各種アプリケーションを起動、操作することができるようにするために第１筐体１１０及び第２筐体１２０の各側面１１３，１２３にそれぞれ設けられた４つのキーからなる補助的操作部、１０７は第１筐体１１０の表示部１０６を有する面１１１の先端側１１１ａ側に設けられたスピーカー、１０８は第２筐体１２０の主操作部１０２を有する面１２１の先端側１２１ａ側に設けられたマイクロフォン、１０５は第２筐体１２０の基端部（連結部１０４側の端部）１２０ｂ側に設けられたアンテナである。
【００１５】
また、前記連結部１０４は、図３（ａ）（ｂ）に示すように、第１筐体１１０に結合され、第２筐体１２０と対向する面１１２側より突出する回転軸１４４と、第２筐体１２０のうち第１筐体１１０と対向する面１２１側に結合され、前記回転軸１４４を回転可能に軸支する軸受部材１４５とを有し、両筐体１１０，１２０は、互いの重ね合わせ方向に沿う軸線Ｌを中心線とする回転軸１４４によって回動可能に構成されている。
【００１６】
その為、第１筐体１１０と第２筐体１２０とが互いに重ね合わされた図１の閉状態から軸線Ｌを中心として前記第１筐体１１０を前記第２筐体１２０に対して矢印Ａ方向（右方向）に１８０度回動させることにより、図２に示すように、第２筐体１２０に備える主操作部１０２が外側に露出する開状態とすることができ、この時、表示部１０６は主操作部１０２と略同じ方向を向いた状態で回動するため、開状態でも表示部１０６の表示面１０６ａを外側から見ることができるようになっている。
【００１７】
また、第１筐体１１０の基端部（連結部１０４側の端部）１１０ｂのうち左側角部近傍に、面１１１より所定の間隔をおいて突出する３つの凸部１５１からなる引掛部１５０を設けてある。即ち、ユーザーが自分の指を３つの凸部１５１に対して押圧した状態で、この押圧方向に対して水平な方向に指を移動させようとすると３つの凸部１５１を指に引っ掛けることができるようになっている。
【００１８】
この引掛部１５０は、図５に示すように、第１筐体１１０の表面１１１に所定の間隔をおいて形成された凹部１５２内に、略半球状の断面形状を有する凸部１５１を接着にて固定して形成したもので、凸部１５１の頂部が表面１１１より突出するようになっている。凸部１５１の材質については特に限定するものではないが、例えばゴム材のように指との静摩擦力の大きな材質を用いれば、指が凸部１５１から滑ることを効果的に防ぐことができ好ましい。
【００１９】
次に、図１に示す携帯電話機１００のブロック図を説明する。
【００２０】
図４に示すように、アンテナ１０５と接続される無線部１６４、表示部１０６、主操作部１０２、補助的操作部１０３、マイクロフォン１０８、スピーカー１０７はそれぞれ制御部１６０に接続されており、さらに制御部１６０には、電池１６３、携帯電話機１００の各種アプリケーションソフトが記録された記憶部１６１及び第１筐体１１０と第２筐体１２０の開閉状態を検出する状態検出部１６２がそれぞれ接続されている。
【００２１】
制御部１６０は、状態検出部１６２からの信号に基づいて携帯電話機１００が閉状態にあることを検出したときは、補助的操作部１０３による操作を有効とし、補助的操作部１０３による操作に基づいて各種アプリケーションを起動、操作することができるようになっている。また、状態検出部１６２からの信号に基づいて携帯電話機１００が開状態にあることを検出したときは、補助的操作部１０３の操作を無効とすると共に、主操作部１０２による操作を有効とし、主操作部１０２による操作に基づいて各種アプリケーションを起動、操作することができるようになっている。
【００２２】
さらに、ユーザーが電話をかける場合には、携帯電話機１００を開状態にして主操作部１０２を操作可能な状態とし、オフフックボタンとして割り当てた主操作部１０２の一つのキーを押下したあと、相手先の電話番号を主操作部１０２より入力することで、制御部１６０から無線部１６４、アンテナ１０５を介して相手先番号を近くの基地局（不図示）へ送信し、基地局との間で呼が確立されることにより通話を行うことができ、また、アンテナ１０５及び無線部１６４を介して着信を受けた場合、制御部１６０はスピーカー１０７より着信音を放音させてユーザーに着信があることを知らせ、その後、ユーザーが着信に気づいて携帯電話機１００を開状態にし、オフフックボタンとして割り当てた主操作部１０２の一つのキーを押下することで基地局との間で呼が確立され、通話を行うことができるようになっている。
【００２３】
次に、図１に示す携帯電話機１００を片手で開き、図２に示す開状態とするための動作について説明する。
【００２４】
まず、ユーザーは、第２筐体１２０のうち第１筐体１１０と反対側の面を覆うように、第２筐体１２０を左手で保持するとともに、左手の親指を３つの凸部１５１からなる引掛部１５０に押し当てるようにする。この状態から左手の親指を軸線Ｌに対して矢印Ａ方向（右回り方向）に押し出すと、図６に示すように、第１筐体１１０の先端部１１０ａが右回りに回動をはじめ、親指の押し出しをさらに進めると、図２に示すように閉状態から軸線Ｌを中心に１８０°回動した開状態とすることができる。
【００２５】
このように、本発明によれば、回動させる第１筐体１１０の基端部１１０ｂに指を引っ掛ける引掛部１５０を設けたことにより、片手でも簡単に開動作を行うことが可能な携帯電話機１００を提供することができる。
【００２６】
また、第１筐体１１０を回動させるにあたり、親指が筐体１１０を押圧する方向が時々刻々と変化するものの、親指は引掛部１５０を構成する３つの凸部１５１に引っ掛かった状態を維持することができるため、第１筐体１１０の回動途中で親指が外れてしまうといったことを防止し、第１筐体１１０の回動動作を確実に実行することができる。
【００２７】
その為、携帯電話機１００を閉状態にした状態で第三者より電話やメールがあった場合でも直ぐに携帯機器１００の開動作を行って電話に出たり、メールの内容を確認することができるため、ユーザーに不快感を与えることがない。
【００２８】
次に、引掛部１５０に関する他の実施形態について図７（ａ）乃至（ｆ）を基に説明する。
【００２９】
図７（ａ）に示す引掛部１５０は、３つの凸部１５１を第１筐体１１０の上面左端部に設けたもので、このように引掛部１５１を上面端部に設けるようにしたことから、回転初期における押し出しを小さな力でスムーズに行うことができる。
【００３０】
図７（ｂ）に示す引掛部１５０は、第１筐体１１０の基端部１１０ｂのうち右端上面から右端正面に渡って形成された３つのスリット１５２からなるもので、このようにスリット１５２を設けても親指を押し当てた際、親指がスリット１５２に入り込むことで引っ掛け作用が得られ、凸部１５１からなる引掛部１５０と同様に、第１筐体１１０を回転させるように動かせば、親指が第１筐体１１０から滑り出すことなく、回動させることができる。
【００３１】
図７（ｃ）に示す引掛部１５０は、第１筐体１１０の基端部１１０ｂのうち右端部に親指が入る程度の大きさを有する窪み１５３からなるもので、このように引掛部１５０を親指が入る程度の窪み１５３とすることで、回転初期における押し出しを小さな力でスムーズに行うことができる。
【００３２】
図７（ｄ）に示す引掛部１５０は、第１筐体１１０の基端部１１０ｂのうち右端角部に形成した１つの突起部１５４からなるもので、この突起部１５４に親指を引っ掛けることで第１筐体１１０の回動をスムーズに行うことができるとともに、第１筐体１１０の回動途中に親指が滑ることを効果的に防止することができる。
【００３３】
図７（ｅ）に示す引掛部１５０は、第１筐体１１０の基端部１１０ｂのうち右端角部に形成された複数の歯部からなる櫛歯状凸部１５５からなるもので、この櫛歯状凸部１５６に親指を引っ掛けることによっても第１筐体１１０の回動をスムーズに行うことができると共に、第１筐体１１０の回動途中に親指が滑ることを効果的に防止することができる。
【００３４】
図７（ｆ）に示す引掛部１５０は、第１筐体１１０の基端部１１０ｂのうち右端角部を形成する、親指との摩擦の大きいゴム材からなるカバー部材１５６からなるもので、このように筐体表面の一部をカバー部材１５６により形成し、このカバー部材１５６を引掛部１５０とすることによっても第１筐体１１０の回動をスムーズに行うことができると共に、第１筐体１１０の回動途中に親指が滑ることを効果的に防止することができる。また、このカバー部材１５６を筐体１１０に対して着脱可能とすれば、その内側にイヤホンジャック等のコネクタを隠すこともできる。
【００３５】
以上、本実施形態について説明したが、本発明は上述した実施形態だけに限定されるものではなく、本発明の要旨を逸脱しない範囲で、改良や設計変更したものでもよいことはいう迄もない。
【００３６】
また、本実施形態では、第１筐体１１０が閉状態から矢印Ａ方向（右回り方向）に回動する場合について説明したが、第１筐体１１０が閉状態から矢印Ｂ方向（左回り方向）に回動する場合には、引掛部１５０を第１筐体１１０の基端部１１０ｂのうち右端部に設けることで本実施形態と同様の作用効果を奏することができる。
【００３７】
さらに、本実施形態では携帯電話機を例にとって説明したが、本発明はこの他にＰＤＡ（Personal Digital Assistants）等の携帯機器にも適用できることはいう迄もない。
【図面の簡単な説明】
【００３８】
【図１】本発明の携帯機器の一例である携帯電話機の閉状態を示す斜視図である。
【図２】図1の携帯電話機の開状態を示す斜視図である。
【図３】図1の携帯電話機における連結部を示す図で、（ａ）は斜視図、（ｂ）は筐体に取り付けた状態を示す断面図である。
【図４】図1の携帯電話機のブロック図である。
【図５】図1のＸ−Ｘ線断面図である。
【図６】図1の携帯電話機の開動作を説明するための斜視図である。
【図７】（ａ）〜（ｆ）は引掛部の他の実施形態を示す斜視図である。
【符号の説明】
【００３９】
１００    携帯電話機（携帯機器）
１０２    主操作部
１０３    補助的操作部
１０４    連結部
１０５    アンテナ
１０６    表示部
１０７    スピーカー
１０８    マイクロフォン
１１０    第１筐体
１１０ａ  先端部
１１０ｂ  基端部
１２０    第２筐体
１５０    引掛部
１５１    凸部
１５２    窪み
１５３    スリット
１５４    突起部
１５５    櫛歯状凸部
１５６    カバー部材
１６０    制御部
１６１    記憶部
１６２    状態検出部
１６３    電池
１６４    無線部
【図１】
2005191751.tif 000003
【図２】
2005191751.tif 000004
【図３】
2005191751.tif 000005
【図４】
2005191751.tif 000006
【図５】
2005191751.tif 000007
【図６】
2005191751.tif 000008
【図７】
2005191751.tif 000009